(57)【要約】      （修正有） 【課題】少なくとも二個のインクローラーが設置され、必要なインクローラーを選択することによって、簡単に前置作業が終了し、インクローラーが壊れるのを防止するプリンタのインクローラーユニット構造を提供する。【解決手段】プリンタのインクローラーユニット構造は、一組の回転盤４１上に少なくとも二個の平行に配置したインクローラー１２を軸設し、その回転盤を揺れ腕４２上に設置する。揺れ腕の一端は、横軸４２１と枢設し、別端は駆動部品４３１と連結する。駆動部品が動くことによって、揺れ腕が動き、横軸によって既定角度に動く。揺れ腕上の回転盤によって印刷ローラー１１の位置を近づけるか否かを決め、回転盤上のその他のインクローラーを選択して印刷作業を行う。【選択図】図２
0003112725.tif 000002
【実用新案登録請求の範囲】
【請求項１】
主に一組の回転盤、一組の揺れ腕、一組の駆動部品から構成されたプリンタのインクローラーユニット構造において、
少なくとも二個の平行に軸設したインクローラーを設置する回転盤と,
回転盤に設置し、その一端にはプリンタの機台と枢設する横軸を揺れ腕と、
揺れ腕と連結し、揺れ腕の動きによって既定の角度に動く駆動部品から構成されることを特徴とするプリンタのインクローラーユニット構造。
【請求項２】
前記駆動部品は、動力シリンダーによって揺れ腕を動かす部品で、連桿によって動力シリンダーと揺れ腕が連接されることを特徴とする請求項1 記載のプリンタのインクローラーユニット構造。
【請求項３】
前記機台は、インクローラーが相対して印刷ローラーが接触する時の軸端位置にインクローラーが入る凹台が設置されることを特徴とする請求項1 記載のプリンタのインクローラーユニット構造。
【請求項４】
前記凹台は、開口箇所にその開口を遮蔽する可動部品を設置することを特徴とする請求項3 記載のプリンタのインクローラーユニット構造。
【請求項５】
前記凹台は、開口箇所にその開口を遮蔽する可動部品を設置し、その可動部品の一端は機台と枢設し、別端は快速ハンドルによって機台と相互に支持することを特徴とする請求項3 記載のプリンタのインクローラーユニット構造。
【考案の詳細な説明】
【技術分野】
【０００１】
本考案は、プリンタのインクローラーユニット構造に関するもので、コールドタイプのプリンタ内に設置されたインクローラーの構造で、少なくとも二個のインクローラーが設置され、必要なインクローラーを選択し、印刷ローラーを接触させるものである。
【背景技術】
【０００２】
一般のコールドタイプのプリンタは、インクローラーとゴム胴もしくはハケによって、多めについたインクを取り除き、コールドタイプ印刷版上に移転し、インクを印刷物上に転写する。図1 に示すとおり、コールドタイプ印刷版20 を印刷ローラー11 上に設置し、他にインクローラー12 とコールドタイプ印刷版20 を接触させる。そして上インク装置13 とこのインクローラー12 を接触させ、インクローラー12 は印刷ローラーと同時に回転する。上インク装置13 のインクが印刷物30 上に転写されるため、大量、大型印刷物の高速作業に適している。
【０００３】
更にコールドタイプ印刷のプリント作業をする時、インクローラー既定の網目によって印刷版の含墨量がコントロールされる。そのため、異なる印刷作業をする時には、特定のコールドタイプ印刷版20 を設置しなければならない他に、印刷物の特性に基づき、適するインクローラー12 を選択することによって、予定された印刷の状態を得る事ができる。
【考案の開示】
【考案が解決しようとする課題】
【０００４】
解決しようとする問題点は、従来の網版プリンタがインクローラーをひとつ設置しているだけなので、含墨量を変更する場合、元のインクローラーをプリンタから取り外し、適するインクローラーをプリンタに設置しなおさなければならない。そのため、コールドタイプ印刷版の印刷には、前置作業が煩雑で、スピーディな交換ができないばかりでなく、インクローラーを壊す可能性もある，点である。
【課題を解決するための手段】
【０００５】
本考案は、一組の回転盤上に少なくとも二個の平行に配置したインクローラーを軸設し、その回転盤を揺れ腕上に設置する。揺れ腕の一端は、横軸と枢設し、別端は駆動部品と連結する。駆動部品が動くことによって、揺れ腕が動き、横軸によって既定角度に動く。揺れ腕上の回転盤によって印刷ローラーの位置を近づけるか否かを決め、回転盤上のその他のインクローラーを選択して
作業を行うことを最も主要な特徴とする。
【考案の効果】
【０００６】
本考案のプリンタのインクローラーユニット構造は、少なくとも二個のインクローラーが設置され、必要なインクローラーを選択し、印刷作業をスムーズにするという利点がある。
【考案を実施するための最良の形態】
【０００７】
本考案のプリンタのインクローラーユニットの基本構造は、図2 及び図3 に示すとおり、回転盤41 、揺れ腕42 及び駆動ユニット43 から構成される。そのうち、
【０００８】
回転盤41 は、印刷ローラー11 の軸端箇所に設置し、揺れ腕42 によってプリンタの機台10 に相互に連結される。この回転盤41 には少なくとも二個の平行なインクローラー12 が軸設される。揺れ腕42 の一端は、一本の横軸421 によって機台10 と相互に枢設され、別端は駆動ユニット43 と連結される。 実施時、駆動ユニット43 は、動力シリンダー431 によって揺れ腕42 を動かす部品で、連枠432 によって動力シリンダー431 と揺れ腕42 が連接され、動力シリンダー431
の伸縮作用によって、揺れ腕42 が同時に動き、横軸421 によって既定角度に設置し、揺れ腕42 上の回転盤41 を相互に対応させて印刷ローラー12 を近づける否かの位置変更を行う。
【０００９】
この他、機台10 に対応するインクローラー12 と印刷ローラー11 を合わせた時の軸端位置箇所に、インクローラー12 を飲め込む凹台14 を設置する。図3 及び図4 に示すとおり、凹台14 の開口箇所に開口箇所を遮蔽する可動部品15 を設置し、この可動部品15 の一端を機台10 に相互に枢設し、別端は快速ハンドル1 6 を機台10 と相互に支持する。
【００１０】
これらによって、インクローラー12 は、印刷ローラー12 と相互に合わせ、且つ凹台14 に嵌め込んで定位した後、図5 に示すとおり、この可動部品15 で凹台14 の開口を遮蔽し、インクローラー12の脱落を防止する。また、インクローラー12 を交換する場合、快速ハンドル16 を開き、可動部品15 によって凹台14 の開口箇所から移動させる。この時、図6 に示すとおり、駆動部品43 の動作によって、回転盤41 を印刷ローラー11 から移動させ、インクローラー12
を凹台1 4 から出す。そのため、インクローラーを取り外すことなしに、回転盤によってその他の適するインクローラーを選択して印刷ローラーに合わせて使用する。簡単に前置作業が終了するだけでなく、インクローラーを傷つけることもない。
【図面の簡単な説明】
【００１１】
【図１】公知のコーノレドタイププリンタの構造指示図である。
【図２】本考案のインクローラーユニット外観立体図である。
【図３】本考案のインクローラーと印刷ローラーの接触状態指示図である。
【図４】本考案の快速ハンドルの外観立体図である。
【図５】本考案の可動部品が凹台の開口を遮蔽した状態指示図である。
【図６】本考案のインクローラーを凹台から出した状態指示図である。
【符号の説明】
【００１２】
10   機台
11   印刷ローラー
12   インクローラー
13   上インク装置
14   凹台
15   可動部品
16   快速ハンドル
20   コールドタイプ印刷版
30   印刷物
41   回転盤
42   揺れ腕
421  横軸
43   駆動ユニット
431   動力シリンダー
432   連枠
【図１】
0003112725.tif 000003
【図２】
0003112725.tif 000004
【図３】
0003112725.tif 000005
【図４】
0003112725.tif 000006
【図５】
0003112725.tif 000007
【図６】
0003112725.tif 000008